Podtech/llm-jp-corpus-v4-ja_patent huggingface dataset:
【手続補正書】
【提出日】平成20年5月1日(2008.5.1)
【手続補正１】
【補正対象書類名】特許請求の範囲
【補正対象項目名】全文
【補正方法】変更
【補正の内容】
【特許請求の範囲】
【請求項１】
液体または染料を、液体または染料の源の先端からマーカーペンの液体吸収性を有するペン先へと運ぶことを可能にするための装置であって、一端に、前記源およびその先端を有し、そして、他端に開口を有して、マーカーペンの端部を受け入れ、そして、これに係合する管状の結合部材を備え、前記結合部材は、前記マーカーペンのペン先が前記源の先端に接触するように選択的に位置されて、液体または染料が、前記源と前記マーカーペンのペン先との間を通過することを可能にする長さを有していることを特徴とする装置。
【請求項２】
係合された前記マーカーペンと、前記源との間の相対的な移動を可能にして、前記マーカーペンのペン先と、前記源の先端とを相互に接触させるための手段を更に備える、請求項１に記載の装置。
【請求項３】
前記結合部材は少なくとも一端に、雌ねじを有しており、前記雌ねじは、前記マーカーペンのペン先側の端部に形成された雄ねじを受け入れ、前記マーカーペンを前記結合部材に対して回転させることによって、前記マーカーペンを前記結合部材に対して移動させて、前記マーカーペンのペン先と、前記源の先端とを相互に接触させる、請求項２に記載の装置。
【請求項４】
液体または染料の前記源が、第２のマーカーペンである、請求項１−３のいずれか１つに記載の装置。
【請求項５】
前記源は、前記管状の結合部材の前記一端内に配置された、吸収性を有する所定量の詰め物を含む、請求項１−３のいずれか１つに記載の装置。
【請求項６】
前記液体が、半透明な液体を含む、請求項１−５のいずれか１つに記載の装置。
【請求項７】
前記液体が、染料を含む、請求項１−５のいずれか１つに記載の装置。
【請求項８】
前記染料が、有色染料、分散顔料、またはその他の着色媒体を含有する水性インクを含む、請求項７に記載の装置。
【請求項９】
第１の色の液体または染料を含む吸収性のペン先を含むハウジングを有する第１のマーカーペンと、第２の色の液体または染料を含む吸収性のペン先を含むハウジングを有する第２のマーカーペンとを備える着色装置であって、第１および第２のマーカーペンの前記ハウジングが、管状の結合部材の対向する両端部に係合するような寸法および形状を有しており、そして、前記管状の結合部材は、第１のマーカーペンの前記吸収性のペン先及び第２のマーカーペンの前記吸収性のペン先が選択的に移動して、前記結合部材内で相互に接触することを可能にするような寸法および形状を有していることを特徴とする着色装置。
【請求項１０】
係合された第１および第２のマーカーペン間の相対的な移動を可能にして、前記第１のマーカーペンのペン先と、前記第２のマーカーペンのペン先とを相互に接触させるための手段を更に備える、請求項９に記載の装置。
【請求項１１】
液体または染料を源からマーカーペンの液体吸収性を有するペン先に運ぶことを可能にする装置であって、液体または染料の前記源を収容し、端部に開口を有する形状を有し、そして、前記ペン先を含む前記マーカーペンの一端を受け入れ、そして、これに係合するような寸法を有する結合部材と、前記結合部材に係合したマーカーペンのペン先と、前記源とを選択的に相対移動させて、前記マーカーペンのペン先を、前記源と接触させ、また、前記接触から解除するための手段とを備えることを特徴とする装置。
【請求項１２】
液体または染料の前記源が、第２のマーカーペンである、請求項１１に記載の装置。
【請求項１３】
前記源は、吸収性を有する所定量の詰め物を含む、請求項１１に記載の装置。
【手続補正書】
【提出日】平成20年5月9日(2008.5.9)
【手続補正１】
【補正対象書類名】特許請求の範囲
【補正対象項目名】全文
【補正方法】変更
【補正の内容】
【特許請求の範囲】
【請求項１】
両側に伸縮可能なポリオレフィン化粧シートからなる化粧層、及び
両側に伸縮可能な紙からなる樹脂含浸コア層を含む、複合成形可能な化粧板。
【請求項２】
前記コア層がフェノール樹脂で含浸されている、請求項１に記載の化粧板。
【請求項３】
前記コア層の前記紙がそこに伸縮性を付与するようにクロスクレープされている、請求項１又は２のいずれかに記載の化粧板。
【請求項４】
前記化粧シートが少なくともおよそ２０％伸縮可能である、請求項１〜３のいずれか１つに記載の化粧板。
【請求項５】
前記コア層の前記紙が少なくともおよそ２０％伸縮可能である、請求項１〜４のいずれか１つに記載の化粧板。
【請求項６】
前記化粧層が前記コア層及びオーバーレイの間に配置されるように前記化粧層の上に配置された該オーバーレイをさらに含む、請求項１〜５のいずれか１つに記載の化粧板。
【請求項７】
前記オーバーレイが不織材料である、請求項６に記載の化粧板。
【請求項８】
前記オーバーレイがポリエステル繊維からなる、請求項７に記載の化粧板。
【請求項９】
前記オーバーレイがポリエステル及びレーヨン繊維の混紡からなる、請求項７に記載の化粧板。
【請求項１０】
両側に伸縮可能なポリオレフィン化粧シートからなる化粧層、
複合成形可能な基板、及び
該化粧層及び該基板の間に配置された樹脂含浸コア層を含む、複合成形可能な化粧パネル。
【手続補正２】
【補正対象書類名】明細書
【補正対象項目名】００６４
【補正方法】変更
【補正の内容】
【００６４】
好ましい実施態様を提示し説明してきたが、当然のことながらそのような開示によって本発明を限定する意図はなく、むしろ本発明の精神及び範囲内に収まる全ての変形及び代替構造を保護することを意図している。本発明の実施態様の一部を以下に列記する。
（１）
両側に伸縮可能なポリオレフィン化粧シートからなる化粧層、及び
両側に伸縮可能な紙からなる樹脂含浸コア層を含む、複合成形可能な化粧板。
（２）
前記コア層がフェノール樹脂で含浸されている、項目１に記載の化粧板。
（３）
前記コア層の前記紙がそこに伸縮性を付与するようにクロスクレープされている、項目１に記載の化粧板。
（４）
前記化粧シートが少なくともおよそ２０％伸縮可能である、項目１に記載の化粧板。
（５）
前記コア層の前記紙が少なくともおよそ２０％伸縮可能である、項目１に記載の化粧板。
（６）
前記化粧層が前記コア層及びオーバーレイの間に配置されるように前記化粧層の上に配置された該オーバーレイをさらに含む、項目１に記載の化粧板。
（７）
前記オーバーレイが不織材料である、項目６に記載の化粧板。
（８）
前記オーバーレイがポリエステル繊維からなる、項目７に記載の化粧板。
（９）
前記オーバーレイがポリエステル及びレーヨン繊維の混紡からなる、項目７に記載の化粧板。
（１０）
両側に伸縮可能なポリオレフィン化粧シートからなる樹脂含浸化粧層、及び
両側に伸縮可能な紙からなる樹脂含浸コア層を含む、積層レイアップ。
（１１）
前記コア層がフェノール樹脂で含浸されている、項目１０に記載の積層レイアップ。
（１２）
前記コア層の前記紙がそこに伸縮性を付与するようにクロスクレープされている、項目１０に記載の積層レイアップ。
（１３）
前記化粧シートが少なくともおよそ２０％伸縮可能である、項目１０に記載の積層レイアップ。
（１４）
前記コア層の前記紙が少なくともおよそ２０％伸縮可能である、項目１０に記載の積層レイアップ。
（１５）
前記コア層が両側に伸縮可能なクラフト紙の複数のシートを含む、項目１０に記載の積層レイアップ。
（１６）
前記化粧層が前記コア層及びオーバーレイの間に配置されるように前記化粧層の上に配置された該オーバーレイをさらに含む、項目１０に記載の積層レイアップ。
（１７）
前記オーバーレイが不織材料である、項目１６に記載の積層レイアップ。
（１８）
複合成形可能な化粧板の作製方法であって、
両側に伸縮可能であってポリオレフィンからなる化粧シートを用意し、
両側に伸縮可能な紙を用意し、
該紙を樹脂で含浸し、
該化粧シート及び該紙を重ね、並びに
加熱・加圧下でその重ねた化粧シート及び紙を結合して化粧板のシートを形成することを含む方法。
（１９）
前記紙を含浸する前記工程が前記紙をフェノール樹脂で含浸することを含む、項目１８に記載の方法。
（２０）
前記紙を用意する前記工程がそこに伸縮性を付与するようにクロスクレープすることを含む、項目１８に記載の方法。
（２１）
前記化粧シートが少なくともおよそ２０％伸縮可能である、項目１８に記載の方法。
（２２）
前記紙が少なくともおよそ２０％伸縮可能である、項目１８に記載の方法。
（２３）
前記化粧層が前記コア層及びオーバーレイの間に配置されるように前記化粧層の上に該オーバーレイを配置する工程をさらに含む、項目１８に記載の方法。
（２４）
前記オーバーレイが不織材料である、項目２３に記載の方法。
（２５）
両側に伸縮可能なポリオレフィン化粧シートからなる化粧層、
複合成形可能な基板、及び
該化粧層及び該基板の間に配置された樹脂含浸コア層を含む、複合成形可能な化粧パネル。
（２６）
前記複合成形可能な基板が中密度ファイバーボードである、項目２５に記載の化粧パネル。
（２７）
前記中密度ファイバーボードの厚さがおよそ０．３１７５ｃｍである、項目２６に記載の化粧パネル。
（２８）
前記コア層が両側に伸縮可能なクラフト紙からなる、項目２６に記載の化粧パネル。
（２９）
前記クラフト紙がそこに伸縮性を付与するようにクロスクレープされている、項目２８に記載の化粧パネル。
（３０）
前記化粧層が前記コア層及びオーバーレイの間に配置されるように前記化粧層の上に配置された該オーバーレイをさらに含む、項目２５に記載の化粧パネル。
（３１）
前記オーバーレイが不織材料である、項目３０に記載の化粧パネル。
（３２）
両側に伸縮可能なポリオレフィン化粧シート及び両側に伸縮可能なクラフト紙からなる樹脂含浸コア層を含んでなる複合成形可能な化粧板、並びに
該化粧板が結合される基板を含む、化粧パネル。
（３３）
前記コア層がフェノール樹脂で含浸されている、項目３２に記載の化粧パネル。
（３４）
前記クラフト紙がそこに伸縮性を付与するようにクロスクレープされている、項目３２に記載の化粧パネル。
（３５）
前記化粧シートが少なくともおよそ２０％伸縮可能である、項目３２に記載の化粧パネル。
（３６）
前記クラフト紙が少なくともおよそ２０％伸縮可能である、項目３２に記載の化粧パネル。
（３７）
前記化粧層が前記コア層及びオーバーレイの間に配置されるように前記化粧層の上に配置された該オーバーレイをさらに含む、項目３２に記載の化粧パネル。
（３８）
前記オーバーレイが不織材料である、項目３７に記載の化粧パネル。
（３９）
ポリオレフィン化粧層、及び
樹脂含浸コア層を含む、複合成形可能な化粧板。
（４０）
前記コア層が樹脂含浸クラフト紙からなる、項目３９に記載の化粧板。
（４１）
前記コア層がフェノール樹脂で含浸されている、項目４０に記載の化粧板。
【手続補正書】
【提出日】平成20年4月11日(2008.4.11)
【手続補正１】
【補正対象書類名】特許請求の範囲
【補正対象項目名】全文
【補正方法】変更
【補正の内容】
【特許請求の範囲】
【請求項１】
第１のジェット印刷ノズルと、
前記第１のジェット印刷ノズルの出力軌道の第１の部分に近接して置かれ、かつ前記第１のジェット印刷ノズルを出た印刷流体ドロップを第１の方向に偏向させるように配置されている、第１の偏向要素と、
前記第１の部分よりも前記第１のジェット印刷ノズルからさらに下流にある前記第１のジェット印刷ノズルの前記出力軌道の第２の部分に近接して置かれた、第２の偏向要素と、
を備えており、前記第２の偏向要素が、前記印刷流体ドロップを前記第１の方向とは異なる第２の方向に再び偏向させるように配置されており、かつ、前記第１及び第２の方向が少なくともそれらの主成分を同じ平面内に有している、ジェットプリンタ。
【請求項２】
印刷流体ドロップを射出し、
前記射出された前記印刷流体ドロップを偏向の第１のステップで偏向し、
前記印刷流体ドロップを、前記偏向の第１のステップの後の、偏向の第２のステップで、前記偏向の第１のステップで偏向された方向とは異なる方向に偏向し、
前記偏向の第１及び第２のステップは、少なくともそれらの主偏向成分を同じ平面内に有している、ジェット印刷方法。
【請求項３】
入力軌道に沿って移動している一連の印刷流体ドロップを受領し、
複数の前記印刷流体ドロップのそれぞれを、前記入力軌道から複数の種々の出力軌道上に静電的に再方向付けし、この再方向付けにおいては、その出力軌道が、再方向付けを行う前に前記印刷流体ドロップによってたどられていた前記印刷流体ドロップ入力軌道の部分の外側に少なくとも一つの収束点を有する、
ジェット印刷方法。
【手続補正書】
【提出日】平成20年5月9日(2008.5.9)
【手続補正１】
【補正対象書類名】特許請求の範囲
【補正対象項目名】全文
【補正方法】変更
【補正の内容】
【特許請求の範囲】
【請求項１】
上面と下面を有し、導体を介して電源と連結されるように構成されている導電部と、
絶縁部を備え、絶縁部の上面は導電部の下面と接触し、絶縁部により導電部の下面の少なくとも一部が雰囲気に露出される電気化学機械的処理用の保持リング。
【請求項２】
導電部は実質的に環状である請求項１記載の保持リング。
【請求項３】
導電部は、銅、金、白金、パラジウム、チタン、銀、ロジウム、イリジウム、又はステンレスを含む請求項１記載の保持リング。
【請求項４】
絶縁部は保持リングの外径に沿っている請求項１記載の保持リング。
【請求項５】
導体と、
ベース部と、
ベース部に結合している保持リングを備え、保持リングは、
上面と下面を有する導電部と、
絶縁部を備え、絶縁部の上面は導電部の下面と接触し、
導体は保持リングの導電部と電気的に連絡している電気化学機械的処理用のキャリアヘッド。
【請求項６】
絶縁部は保持リングの外径に沿っている請求項５記載のキャリアヘッド。
【請求項７】
研磨パッド支持部と、
研磨パッド支持部に接触するように構成されているキャリアヘッドを含み、キャリアヘッドは、
導体と、
ベース部と、
ベース部に結合している保持リングを備え、保持リングは、
上面と下面を有し、導体を介して電源と連結されるように構成されている導電部と、
絶縁部を備え、絶縁部の上面は導電部の下面と接触し、
保持リングの導電部に電気的に連結された第１電圧源を含む電気化学機械的処理用のシステム。
【請求項８】
研磨パッド支持部により支持される研磨パッドアセンブリを含み、研磨パッドアセンブリは対電極を含む請求項７記載のシステム。
【請求項９】
対電極は第２電圧源に電気的に結合されている請求項８記載のシステム。
【請求項１０】
導電部は１又はそれ以上の凹部を含む請求項７記載のシステム。
【請求項１１】
導電部は実質的に環状である請求項７記載のシステム。
【請求項１２】
電圧源が、約０Ｖ〜約１Ｖの電圧を導電部に印加するように構成されている請求項７記載のシステム。
【請求項１３】
導電部が銅、金、白金、パラジウム、銀、ロジウム、イリジウム、又はステンレスを含む請求項７記載のシステム。
【請求項１４】
第１電圧で研磨パッドアセンブリを電気的にバイアスし、
第２電圧で導電性保持リングを電気的にバイアスし、第１電圧は第２電圧とは異なり、
基板と研磨パッドアセンブリとの間に相対運動を起こし、基板は導電性保持リングによって保持される電気化学機械的処理用システムの操作方法。
【請求項１５】
コネクタを介して電源に結合されるように構成されている実質的に環状の導電部を提供し、
絶縁部を導電部の下面に結合し、絶縁部の上面は導電部の下面に接触する電気化学機械的処理用導電性保持リングの形成方法。
【手続補正書】
【提出日】平成20年3月14日(2008.3.14)
【手続補正１】
【補正対象書類名】特許請求の範囲
【補正対象項目名】全文
【補正方法】変更
【補正の内容】
【特許請求の範囲】
【請求項１】
ａ）（ｉ）少なくとも１種のフルオロポリエーテル（メタ）アクリル化合物、および
（ｉｉ）少なくとも５０重量％の、少なくとも１種の非フッ素化架橋剤の反応生成物を含む表面層を有する光透過性基材と、
ｂ）前記基材と前記表面層との間に配置されたハードコート層とを含む物品。
【請求項２】
前記基材は透明または艶消の高分子フィルムである、請求項１に記載の物品。
【請求項３】
前記表面層は少なくとも９０度の水との静的接触角を示す、請求項１に記載の物品。
【請求項４】
前記表面層は少なくとも５０度のヘキサデカンとの前進接触角を示す、請求項１に記載の物品。
【請求項５】
前記表面層は、耐久性試験に従うチーズクロスおよび７２５グラムの分銅による２００回の拭取り後にインキ剥離性を示す、請求項１に記載の物品。
【請求項６】
前記表面層は、耐久性試験に従うチーズクロスおよび７２５グラムの分銅による５００回の拭取り後にインキビード形成を示す、請求項１に記載の物品。
【請求項７】
前記表面層は１０〜２００ナノメートルの範囲の厚さを有する、請求項１に記載の物品。
【請求項８】
前記フルオロポリエーテル（メタ）アクリル化合物は少なくとも１個の末端Ｆ（ＣＦ（ＣＦ3）（ＣＦ2Ｏ）ａＣＦ（ＣＦ3）−基（ここで、ａは平均４〜１５である）および少なくとも２個の（メタ）アクリル基を含む、請求項１に記載の物品。
【請求項９】
前記表面層は前記ハードコート層上へ被着され、前記ハードコート層は１〜１００マイクロメートルの厚さを有する、請求項１に記載の物品。
【請求項１０】
前記ハードコート層はアクリレート官能化された無機粒子を含む、請求項９に記載の物品。
【請求項１１】
前記表面層は帯電防止剤を含む、請求項１に記載の物品。
【請求項１２】
タッチスクリーン、液晶表示装置パネル、プラズマ表示装置パネル、テレビジョンスクリーン、コンピュータスクリーンおよび計器表示装置パネルから選択されるものであって、請求項１に記載の物品を含む表示パネル。
【手続補正２】
【補正対象書類名】明細書
【補正対象項目名】発明の名称
【補正方法】変更
【補正の内容】
【発明の名称】フルオロケミカル表面層を含む物品及び表示パネル
【手続補正書】
【提出日】平成20年5月14日(2008.5.14)
【手続補正１】
【補正対象書類名】特許請求の範囲
【補正対象項目名】全文
【補正方法】変更
【補正の内容】
【特許請求の範囲】
【請求項１】
サラダとサラダドレッシングを収納するのに適した複数の収納部をもつ食品容器であって、以下の構成を備えるもの；
食品収納部；
食用ドレッシング収納部；
前記収納部は、仕切り（前記収納部を分けるもの）により作用的に連結していて、前記仕切りは、前記容器を振るか、または、逆さにすることで、前記食用ドレッシング収納部に収納されたサラダドレッシングを前記食品収納部に納められた食品と混じり合うのに適しており、前記食用ドレッシング収納部は、前記容器の長さ方向軸と同心で、前記食品収納部の下位に位置しているもの。
【請求項２】
前記仕切りがノズルまたは開口を含む請求項１の複数の収納部をもつ食品容器。
【請求項３】
ノズルまたは開口がその中心部で盛り上がり、実質的には、前記仕切りの中心部に位置している請求項２の複数の収納部をもつ食品容器。
【請求項４】
前記食品収納部と食用ドレッシング収納部には、相補係合手段が設けられていて、前記収納部両者は、互いに着脱自由に係合されて前記複数の収納部をもつ容器を形成する請求項１に請求された容器。
【請求項５】
前記容器には、蓋が設けられ、この蓋と前記容器には、相補係合手段が設けられていて、ドレッシンが実質的に漏れない態様で前記蓋が前記容器に着脱自由に係合している前記請求項のいずれか一つによる容器。
【請求項６】
前記食品収納部は、マイクロッポーラスなフィルムでシールされている前記請求項のいずれか一つによる容器。
【請求項７】
前記ノズルの口は、前記ドレッシング収納部内にあるドレッシングの流れをある程度コントロールしながら抑えることができるサイズをもつ前記請求項のいずれか一つによる容器。
【請求項８】
前記食用ドレッシング収納部は、それに入れられた内容物に応じての他の食用ドレッシング収納部と識別できるようになっている前記請求項のいずれか一つによる容器。
【請求項９】
前記容器の食品収納部には、食肉類、サラダ、チップスおよび飲料からなるグループから選ばれた食品を適宜選択したもの、または、それらを組み合わせたものが入れられる前記請求項のいずれか一つによる容器。
【請求項１０】
前記容器の食用ドレッシング収納部には、サラダ、シーズニング、ビネガー、タルタルソースおよびビタミン類から選ばれたドレッシング類を適宜選択したもの、または、それらを組み合わせたものが入れられる前記請求項のいずれか一つによる容器。
【請求項１１】
食用ドレッシング収納部と蓋とを受けるのに適している請求項１に請求された食品収納部。
【請求項１２】
食品収納部を受けるのに適している請求項１に請求された食用ドレッシング収納部。
【請求項１３】
食用ドレッシング収納部は、アウトセットから一体ものとして形成されている請求項１１に請求された食用ドレッシング収納部。
【請求項１４】
食用ドレッシング収納部は、ドレッシングを含む請求項１２または請求項１３に請求された食用ドレッシング収納部。
【手続補正書】
【提出日】平成20年5月16日(2008.5.16)
【手続補正１】
【補正対象書類名】特許請求の範囲
【補正対象項目名】全文
【補正方法】変更
【補正の内容】
【特許請求の範囲】
【請求項１】
板紙層と、前記板紙層の互いに反対側の表面の少なくとも一方の表面上の、バリア層として、又は密封層として、又はバリア及び密封層材料の両方として機能する層と、を有する積層材から形成された、頂端部を有する容器において、
前記容器の壁に付帯して形成された構造的に弱い領域、を含んでおり、
前記弱い領域は、互いに交差する少なくとも第１及び第２の概ね細長い打ち出し部によって画定されており、
前記打ち出し部のそれぞれは、前記積層材の層それぞれを無傷で含んでいる湾曲した断面形状を有しており、前記少なくとも第１及び第２の概ね細長い打ち出し部の略交差位置にある前記弱い領域に押し付けられた飲用ストローの性質をもつ破断力が加えられると破断するための弱い領域を形成している、容器。
【請求項２】
前記少なくとも第１及び第２の交差する打ち出し部のそれぞれの前記断面形状は、その断面領域に亘って幾何学的形状が実質的に一定である、請求項１に記載の容器。
【請求項３】
前記少なくとも第１及び第２の細長い打ち出し部の交差部は、前記交差位置に、前記積層材の破断抵抗が、前記少なくとも第１及び第２の打ち出し部の何れの、前記交差位置から横方向に離れた箇所での破断抵抗よりも、実質的に弱い領域を画定している、請求項２に記載の容器。
【請求項４】
前記打ち出し部のそれぞれは、前記容器から外向きに、前記積層材の外表面の面を越えて突き出ている、請求項１に記載の容器。
【請求項５】
前記打ち出し部のそれぞれは、前記積層材の外表面の面を越えて、前記容器の壁の大凡の肉厚よりも少ない量だけ突き出ている、請求項１に記載の容器。
【請求項６】
前記積層材は、前記積層材の互いに反対側の面それぞれの上に、ポリエチレンの層を含んでおり、前記打ち出し部は、前記積層材上の前記ポリエチレン層の連続性を破壊していない、請求項１に記載の容器。
【請求項７】
前記打ち出し部は、実質的に直線状であり、前記積層材の全ての層は、機能的に無傷のままである、請求項１から７の何れかに記載の容器。
【請求項８】
板紙積層材で形成され上壁を有している密封容器の液体内容物へのアクセス機能を強化する方法において、
前記容器の上壁に打ち出し模様を提供する段階であって、それぞれの長さに沿って少なくとも一度は互いに交差する少なくとも第１及び第２の細長い打ち出し部を含んでいる打ち出し模様を提供する段階を含んでおり、
前記細長い打ち出し部のそれぞれは、湾曲した略半円状の断面形状を有しており、
前記打ち出し部の交差の中心部は、前記細長い打ち出し部の他の箇所よりも破断に対する抵抗が小さい、構造的に弱い領域を画定している、方法。
【請求項９】
前記容器の内部を画定している積層材の外表面からの突起として、前記打ち出し部を配置する段階を含んでいる、請求項８に記載の方法。
【請求項１０】
前記打ち出し部は、前記積層材の外表面から、前記容器の上壁の肉厚よりも少ない量だけ突き出ている、請求項８に記載の方法。
【請求項１１】
素材板において、
複数の罫引き線を有する基板であって、前記複数の罫引き線に沿って折られて、密封容器を形成するようになっている基板と、
前記基板の一部に画定されている構造的に弱い領域であって、前記基板の互いに反対側の表面上に一対の雄型ダイインサートと雌型ダイインサートにより作り出されるようになっている複数の打ち出し部を備えており、前記基板の厚さよりも実質的に薄い厚さを含んでおり、力が加えられると破断して、前記密封容器の内部領域にアクセスできるように作られている、構造的に弱い領域と、を備えている素材板。
【請求項１２】
前記基板は、内表面及び外表面と、前記基板の前記内表面を被覆している内側ポリマー層と、前記基板の前記外表面を被覆している外側ポリマー層と、を更に備えており、前記内側層と外側層は、前記複数の打ち出し部の構造的に弱い領域に加えられる約２０．９１Ｎ（４．７ｌｂｆ）の力に耐えるように作られている、請求項１１に記載の素材板。
【請求項１３】
前記基板は、前記基板の前記内表面を被覆しているポリマー製の内表面層を更に備えており、前記基板は、前記構造的に弱い領域に加えられる約２０．９１Ｎ（４．７ｌｂｆ）の力に耐えるように作られている、請求項１２に記載の素材板。
【請求項１４】
容器において、
板紙層を有する素材板であって、前記板紙層は、互いに反対側の面を含んでおり、前記素材板は、一体に折られて、上壁と底壁と側壁とを有する密封容器を形成するように作られている、素材板と、
前記板紙層の互いに反対側の面の少なくとも一方の上に配置されている複数のバリア又は密封層と、
前記上壁の一部に画定されている構造的に弱い領域であって、前記素材板の互いに反対側の面の上に、一対の雄型ダイインサートにより作り出されるようになっている複数の打ち出し部を備えており、前記複数の打ち出し部のそれぞれは、前記基板の厚さより実質的に薄い厚さを含んでおり、前記複数の打ち出し部は、前記積層材が打ち出し加工されるときに、前記複数のバリア及び密封層が機能的に無傷のままに保たれるように選択された幾何学的形状を更に含んでいると共に、前記構造的に弱い領域は、前記複数の打ち出し部の当該位置にある前記構造的に弱い領域に力が加えられると破断するように作られている、構造的に弱い領域と、を備えている容器。
【請求項１５】
前記選択された幾何学的形状は、互いに交差している複数の浅い凹みのある打ち出し部を含んでおり、浅い凹みのある打ち出し部それぞれは、略半円形の断面を有している、請求項１４に記載の容器。
【請求項１６】
前記打ち出し部は、前記積層部から内向きに、前記板紙層の面の中へと突き出ている、請求項１５の何れかに記載の容器。
【請求項１７】
素材板の一部に打ち出し部を作り出すための素材板成形装置において、
前記素材板成形装置上に長手方向に取り付けられるように作られている複数のダイシリンダと、
前記複数のダイシリンダ上に長手方向に取り外し可能に取り付けられた、複数の打ち出し部を有する複数のダイインサートであって、互いに協働して、その間を送られる前記素材板の当該部分に構造的に弱い領域を作り出すように作られている複数のダイインサートと、を備えている装置。
【請求項１８】
前記複数のダイインサートは、一対の雄型ダイインサートを含んでおり、各雄型ダイインサートは、互いに交差する４つの浅い凹み部を有する面形状を含んでいる、請求項１７に記載の素材板成形装置。
【請求項１９】
素材板を作るための方法において、
複数の罫引き線を有する基板を用意する段階と、
一対の雄型ダイインサートを使用して、前記基板上に打ち出し模様を作り出す段階であって、前記打ち出し模様は、互いに交差する複数の浅い凹みのある打ち出し部により画定されており、前記複数の浅い凹みのある打ち出し部の交差の中心は、前記打ち出し模様の残りの箇所よりも破断に対する抵抗が小さい、構造的に弱い領域を画定している、打ち出し模様を作り出す段階と、から成る方法。
【手続補正書】
【提出日】平成20年4月1日(2008.4.1)
【手続補正１】
【補正対象書類名】特許請求の範囲
【補正対象項目名】全文
【補正方法】変更
【補正の内容】
【特許請求の範囲】
【請求項１】
研磨凝集塊の粒子を研磨物品の型の少なくとも一部の少なくとも一つの窪みに配置する工程と、溶融熱可塑性バインダー樹脂を前記研磨物品の型内に射出する工程と、前記熱可塑性バインダー樹脂を冷却させ、その結果、研磨凝集塊の前記粒子が前記熱可塑性バインダー樹脂中に固定される工程とを含む、研磨物品の作製方法。
【手続補正書】
【提出日】平成20年5月13日(2008.5.13)
【手続補正１】
【補正対象書類名】特許請求の範囲
【補正対象項目名】全文
【補正方法】変更
【補正の内容】
【特許請求の範囲】
【請求項１】
リムとタイヤとで構成され、定格圧力まで膨らまされる重機械用の装着組立体であって、タイヤが、２つのビードに固定されていて、クラウン補強体により覆われているラジアルカーカス補強体を備えており、前記クラウン補強体がそれ自身、側壁部によりビードに接合されたトレッドにより覆われており、リムが、リムフックにより延長されて、タイヤのビードを受入れるようになっている２つのシートを備えている、装着組立体において、タイヤおよびリムに対して外側の少なくとも１つの装置が、圧力を加えて側壁部の少なくとも１つの環状部分に圧接しており、前記装置は同時にリムフックに圧接しており、この装置はトロイダル形状のものであり、そして内側キャビティを構成していることを特徴とする装着組立体。
【請求項２】
装置の横断面が装置の周囲にわたって変化していることを特徴とする定格荷重の条件を受けている請求項１に記載の装着組立体。
【請求項３】
装置は少なくとも１つのポリマー層で構成されていることを特徴とする請求項１または２に記載の装着組立体。
【請求項４】
装置は補強要素を備えており、前記補強要素は半径方向の配向で配置されていることを特徴とする請求項３に記載の装着組立体。
【請求項５】
装置は少なくともタイヤのヒールまで延びていることを特徴とする請求項１ないし４のうちのいずれか１項に記載の装着組立体。
【請求項６】
装置はタイヤのビードの軸方向内側部分まで延びていることを特徴とする請求項１ないし５のうちのいずれか１項に記載の装着組立体。
【請求項７】
クラウン補強体により覆われて２つのビードに固定されているラジアルカーカス補強体を備えており、クラウン補強体がそれ自身、側壁部によりビードに接合されたトレッドにより覆われており、フックにより延長されていて、ビードを受入れるようになっているリムとの関連により重機械用の装着組立体を構成しているタイヤの側壁部の撓みを制限するための方法において、タイヤおよびリムに対して外側の少なくとも１つの装置が、リムフックに圧接している側壁部の少なくとも一部に膨らまし圧力に同等な圧力を加えることを特徴とするタイヤの側壁部の撓みを制限するための方法。
【手続補正書】
【提出日】平成20年2月19日(2008.2.19)
【手続補正１】
【補正対象書類名】特許請求の範囲
【補正対象項目名】全文
【補正方法】変更
【補正の内容】
【特許請求の範囲】
【請求項１】
（ａ）ポリアミド６，１０；ポリアミド６，１２；またはこれらのコポリマーあるいはこれらの混合物を含む、約４０〜約８５重量パーセントのポリアミド成分と、
（ｂ）約１０〜約３０重量パーセントの衝撃改質剤と、
（ｃ）約４〜約２０重量パーセントのステンレス鋼繊維、カーボンナノチューブ、またはその両方と、
（ｄ）約２〜約７重量パーセントの少なくとも１種の可塑剤と
を含むポリアミド組成物から製造され、
（ａ）〜（ｄ）の重量パーセントが、組成物の総重量に基づいていることを特徴とする自動車のエンジンへの燃料の搬送に有用な燃料供給装置構成部品。
【手続補正２】
【補正対象書類名】明細書
【補正対象項目名】００２３
【補正方法】変更
【補正の内容】
【００２３】
本発明の燃料供給装置構成部品は、導電性であり、良好な耐燃料浸透性ならびに耐衝撃性を有し、および衝撃改質剤の存在により、湿った環境において塩化亜鉛、塩化カルシウム、および塩化ナトリウムなどの塩に露出された場合のこれらの良好な機械特性の維持が保障される。燃料供給装置構成部品は、最適な静電気分散のために約１×１０９Ω／□未満の表面抵抗率および／または約１×１０８Ω・ｃｍ未満の体積抵抗率を有することが好ましいであろう。
以下に、本発明の好ましい態様を示す。
［１］  （ａ）ポリアミド６，１０；ポリアミド６，１２；またはこれらのコポリマーあるいはこれらの混合物を含む、約４０〜約８５重量パーセントのポリアミド成分と、
（ｂ）約１０〜約３０重量パーセントの衝撃改質剤と、
（ｃ）約４〜約２０重量パーセントのステンレス鋼繊維、カーボンナノチューブ、またはその両方と、
（ｄ）約２〜約７重量パーセントの少なくとも１種の可塑剤と
を含むポリアミド組成物から製造され、
（ａ）〜（ｄ）の重量パーセントが、組成物の総重量に基づいていることを特徴とする自動車のエンジンへの燃料の搬送に有用な燃料供給装置構成部品。
［２］  前記可塑剤はＮ−ブチルベンゼンスルホンアミドであることを特徴とする［１］に記載の燃料供給装置構成部品。
［３］  前記衝撃改質剤は、無水マレイン酸でグラフトされたＥＰＤＭポリオレフィンを含むことを特徴とする［１］に記載の燃料供給装置構成部品。
［４］  前記衝撃改質剤は、少なくとも１種のアイオノマーを含むことを特徴とする［１］に記載の燃料供給装置構成部品。
［５］  ポリアミド成分（ａ）が、ポリアミド成分（ａ）の重量パーセントに基づいて、約０．５〜約１０重量パーセントの、ポリアミド１１およびポリアミド１２の１つまたは複数をさらに含むことを特徴とする［１］に記載の燃料供給装置構成部品。
［６］  流れている燃料に接触する内表面と、車両の外部に露出している外表面とを有することを特徴とする［１］に記載の燃料供給装置構成部品。
［７］  燃料タンク供給管、燃料タンク供給コネクタ、燃料経路コネクタ、燃料経路、燃料チューブ、燃料ポンプ、燃料送出モジュール構成部品、または燃料フィルタハウジングの形態であることを特徴とする［６］に記載の燃料供給装置。
［８］  燃料経路接地クリップ、燃料タンクフランジ、または燃料タンクキャップの形態であることを特徴とする［１］に記載の燃料供給装置。
【手続補正書】
【提出日】平成20年3月12日(2008.3.12)
【手続補正１】
【補正対象書類名】特許請求の範囲
【補正対象項目名】全文
【補正方法】変更
【補正の内容】
【特許請求の範囲】
【請求項１】
グルーブ記録方式の情報記録媒体であって、ウォブル情報を有する案内溝において、最初のウォブル変位が媒体の内周側に向いて開始する、情報記録媒体。
【請求項２】
ランド記録方式の情報記録媒体であって、ウォブル情報を有する案内溝において、最初のウォブル変位が媒体の外周側に向いて開始する、情報記録媒体。
【請求項３】
請求項１に記載の情報記録媒体に情報を記録する装置であって、グルーブ部にトラッキング極性を設定してウォブル情報が検出できれば、グルーブ部に情報を記録する、記録装置。
【請求項４】
請求項１に記載の情報記録媒体から情報を再生する装置であって、グルーブ部にトラッキング極性を設定してウォブル情報が検出できれば、グルーブ部から情報を再生する、再生装置。
【請求項５】
請求項２に記載の情報記録媒体に情報を記録する装置であって、ランド部にトラッキング極性を設定してウォブル情報が検出できれば、ランド部に情報を記録する、記録装置。
【請求項６】
請求項２に記載の情報記録媒体から情報を再生する装置であって、ランド部にトラッキング極性を設定してウォブル情報が検出できれば、ランド部から情報を再生する、再生装置。
【請求項７】
請求項１又は２に記載の情報記録媒体を製造するための製造方法、又は前記製造方法を実行するための工程を有するプログラム。
【手続補正書】
【提出日】平成20年5月1日(2008.5.1)
【手続補正１】
【補正対象書類名】特許請求の範囲
【補正対象項目名】全文
【補正方法】変更
【補正の内容】
【特許請求の範囲】
【請求項１】
１つ以上の画素を備えていて、そのうちの少なくとも１つの画素が４つ以上の発光素子を備えており、そのそれぞれの発光素子は、輝度効率が周波数に依存して変化する発光スペクトルを持つ広帯域光を発生させるエレクトロルミネッセンス発光有機材料からなる１つ以上の層を含んでいて、そのそれぞれの発光素子はさらに、広帯域光をフィルタリングして異なる色の光を発生させるフィルタを備えているカラーOLEDデバイスであって、
上記発光素子のうちの３つが発生させる色の異なる光がこのOLEDデバイスの第１の色域を指定しており、１つ以上の追加発光素子が少なくとも１つの異なる追加色の光を発生させることと、その追加発光素子のフィルタの周波数範囲が、広帯域光の周波数範囲のうちで、このOLEDデバイスの第１の色域を指定している上記３つの発光素子のフィルタのうちの少なくとも１つの周波数範囲の放射強度よりも強い放射強度を有する部分と一致していて、１つ以上の上記追加発光素子が、第1の色域を指定している上記３つの発光素子のうちの少なくとも１つの輝度効率よりも大きな輝度効率を持つことを特徴とするカラーOLEDデバイス。
【請求項２】
上記追加色が第１の色域内にある、請求項１に記載のカラーOLEDデバイス。
【請求項３】
上記追加色が第１の色域外にあり、第１の色域を指定する上記３つの発光素子から発生する光と組み合わさって拡張された第２の色域を指定している、請求項１に記載のカラーOLEDデバイス。
【手続補正書】
【提出日】平成20年3月24日(2008.3.24)
【手続補正１】
【補正対象書類名】特許請求の範囲
【補正対象項目名】全文
【補正方法】変更
【補正の内容】
【特許請求の範囲】
【請求項１】
基板上に形成された複数の活性半導体層と、
前記複数の活性層の２つの間のヘテロ界面における２次元電子ガス（２ＤＥＧ）と、
前記２ＤＥＧと接触して形成されるソース電極およびドレイン電極と、
前記ソース電極とドレイン電極との間に、前記複数の活性層の上に形成されるゲートと、
前記ゲートと前記ドレイン電極との間の前記複数の活性層の表面の少なくとも一部の上に形成されるスペーサ層と、
前記スペーサ層の上に形成されるフィールドプレートと、
前記フィールドプレートを前記ソース電極に電気的に接続するとともに、前記ゲートと前記ソース電極との間の最上面の全部よりも少ない部分を覆う、少なくとも１つの導電性経路と、
を含むことを特徴とする高電子移動度トランジスタ（ＨＥＭＴ）。
【請求項２】
前記フィールドプレートは、前記スペーサ層上で、前記ゲートの縁端から前記ドレイン電極の方向に距離Ｌｆ延びていることを特徴とする請求項１に記載のＨＥＭＴ。
【請求項３】
前記スペーサ層は前記ゲートを少なくとも部分的に覆い、前記フィールドプレートは、前記ゲートと少なくとも部分的に重なるとともに、前記スペーサ層上で前記ゲートの縁端から前記ドレイン電極の方向に距離Ｌｆだけ延びていることを特徴とする請求項１に記載のＨＥＭＴ。
【請求項４】
前記少なくとも１つの導電性経路は、前記フィールドプレートとソース電極との間に延びるとともに、前記経路のそれぞれは前記スペーサ層の外側を延びて、前記フィールドプレートを前記ソース電極に電気的に接続していることを特徴とする請求項１に記載のＨＥＭＴ。
【請求項５】
前記スペーサ層は、前記ゲートと前記ソース電極との間の、前記複数の活性層の最上部の表面上にさらに形成されることを特徴とする請求項１に記載のＨＥＭＴ。
【請求項６】
前記少なくとも１つの導電性経路は、前記スペーサ層の上を前記フィールドプレートとソース電極との間に延びて、前記フィールドプレートを前記ソース電極に電気的に接続することを特徴とする請求項５に記載のＨＥＭＴ。
【請求項７】
前記複数の活性層は、窒化ガリウムをベースとする半導体材料で形成されていることを特徴とする請求項１に記載のＨＥＭＴ。
【請求項８】
前記スペーサ層は、誘電体材料、または誘電体材料の複数の層を含むことを特徴とする請求項１に記載のＨＥＭＴ。
【請求項９】
前記ゲートはガンマ形状であることを特徴とする請求項１に記載のＨＥＭＴ。
【請求項１０】
前記ゲートは、前記バリヤ層の中に少なくとも部分的に埋め込まれていることを特徴とする請求項１に記載のＨＥＭＴ。
【請求項１１】
前記フィールドプレートは、前記ＨＥＭＴにおける最高動作電界を低減することを特徴とする請求項１に記載のＨＥＭＴ。
【請求項１２】
前記最高動作電界における低減によって、前記ＨＥＭＴの降伏電圧が増大することを特徴とする請求項１１に記載のＨＥＭＴ。
【請求項１３】
前記最高動作電界における低減によって、前記ＨＥＭＴにおけるトラッピングが減少することを特徴とする請求項１１に記載のＨＥＭＴ。
【請求項１４】
前記最高動作電界における低減によって、前記ＨＥＭＴにおける漏洩電流が減少することを特徴とする請求項１１に記載のＨＥＭＴ。
【請求項１５】
基板上に形成される複数の活性半導体層と、
前記複数の活性層の２つの間のヘテロ界面における２次元電子ガス（２ＤＥＧ）と、
前記２ＤＥＧと接触するソース電極およびドレイン電極と、
前記ソース電極とドレイン電極との間で、かつ前記複数の活性層の上のゲートと、
前記ゲートの縁端から前記ドレイン電極へ距離Ｌｆだけ延びるフィールドプレートであって、前記ゲートおよび活性層から絶縁されているフィールドプレートと、
前記フィールドプレートを前記ソース電極に電気的に接続する少なくとも１つの導電性経路であって、前記フィールドプレートを構成する材料で形成され、かつ前記フィールドプレートから前記ソース電極の方向に突出する少なくとも１つの導電性経路と、
を含むことを特徴とする高電子移動度トランジスタ（ＨＥＭＴ）。
【手続補正書】
【提出日】平成20年4月11日(2008.4.11)
【手続補正１】
【補正対象書類名】特許請求の範囲
【補正対象項目名】全文
【補正方法】変更
【補正の内容】
【特許請求の範囲】
【請求項１】
第１ゲート誘電体を第１ウェル領域の上に、かつ第１ウェル領域とコンタクトするように、及び、第２ゲート誘電体を第２ウェル領域の上に、かつ第２ウェル領域とコンタクトするように形成する工程と、第１及び第２ゲート誘電体の組成は異なることと、
第１ゲート電極を第１ゲート誘電体の上に、かつ第１ゲート誘電体とコンタクトするように、そして第２ゲート電極を第２ゲート誘電体の上に、かつ第２ゲート誘電体とコンタクトするように形成する工程と、第１及び第２ゲート電極は組成及び膜厚が同じであることと、第１ゲート誘電体は第２誘電体膜を、第１ウェル領域の上側表面の上の第１誘電体膜の上に含み、そして第２ゲート誘電体は第３誘電体膜を、第２ウェル領域の上側表面の上の第１誘電体膜の上に含むこととからなる、半導体の製造方法。
【請求項２】
第１及び第２ゲート誘電体は共に、高Ｋ誘電体である、請求項１記載の製造方法。
【請求項３】
第１ゲート誘電体は酸化ランタンであり、及び、第２ゲート誘電体は酸化アルミニウムである、請求項２記載の製造方法。
【請求項４】
第１及び第２ゲート電極はタンタル含有層を、第１及び第２ゲート誘電体のそれぞれの上に、かつ第１及び第２ゲート誘電体のそれぞれとコンタクトする形で含む、請求項３記載の製造方法。
【請求項５】
タンタル含有層はほとんどがＴａＣから成る、請求項４記載の製造方法。
【請求項６】
タンタル含有層はほとんどがＴａＳｉＮから成る、請求項４記載の製造方法。
【請求項７】
第１及び第２ゲート電極は導電層を、タンタル含有層の上に、かつタンタル含有層とコンタクトする形で含み、導電層はポリシリコン及びタングステンから成るグループから選択される、請求項４記載の製造方法。
【請求項８】
第１トランジスタを第１ウェル領域の上に、そして第２トランジスタを第２ウェル領域の上に形成する工程を備え、
前記第１トランジスタは第１ゲート誘電体を有し、及び、第２トランジスタは、第１ゲート誘電体とは組成が異なる第２ゲート誘電体を有し、
第１トランジスタは第１ゲート電極を有し、及び第２トランジスタは第２ゲート電極を有し、第１及び第２ゲート電極は組成が同じであり、第１ゲート誘電体及び第２ゲート誘電体は共に高Ｋ誘電体である、半導体の製造方法。
【請求項９】
第１ゲート誘電体は酸化ハフニウムであり、そして第２ゲート誘電体は酸化アルミニウムである、請求項８記載の製造方法。
【請求項１０】
第１及び第２ゲート電極は共にゲート電極層を、該当するゲート誘電体の上に、かつ該当するゲート誘電体とコンタクトする形で含み、ゲート電極層はＴａＳｉＮ及びＴａＣから成るグループから選択される、請求項９記載の製造方法。
【手続補正書】
【提出日】平成20年2月14日(2008.2.14)
【手続補正１】
【補正対象書類名】特許請求の範囲
【補正対象項目名】全文
【補正方法】変更
【補正の内容】
【特許請求の範囲】
【請求項１】
チャネルを有する活性領域と、
前記活性領域と接触して形成されたソース電極およびドレイン電極と、
前記ソース電極と前記ドレイン電極との間に、前記活性領域上に形成されたゲートと、
複数のスペーサ層と、
複数のフィールドプレートと
を備え、
前記スペーサ層のうちの第１のスペーサ層は、前記ゲートと前記ドレイン電極および前記ソース電極との間の前記活性領域の表面の少なくとも一部分の上にあり、
前記フィールドプレートのうちの第１のフィールドプレートは、前記スペーサ層のうちの前記第１のスペーサ層の上にあり、
前記スペーサ層および前記フィールドプレートのうちの残りのスペーサ層およびフィールドプレートは、前記スペーサ層のうちの前記第１のスペーサ層および前記フィールドプレートのうちの前記第１のフィールドプレートの上に交互に配置され、
前記フィールドプレートのうちの最上部のフィールドプレートは、前記ソース電極に電気的に接続され、
前記フィールドプレートのうちの前記最上部のフィールドプレートの下の前記フィールドプレートのそれぞれは、前記ゲートまたは前記ソース電極に電気的に接続されていることを特徴とするトランジスタ。
【請求項２】
前記第１のフィールドプレート上の前記フィールドプレートのそれぞれは、前記スペーサ層のうちの１つのスペーサ層によって下のフィールドプレートから分離されていることを特徴とする請求項１に記載のトランジスタ。
【請求項３】
前記フィールドプレートのそれぞれは、少なくとも１つの電気的に接続する導電性経路によって、前記ソース電極または前記ゲートに接続されていることを特徴とする請求項１に記載のトランジスタ。
【請求項４】
前記フィールドプレートのうちの前記第１のフィールドプレートは、前記ゲートのエッジから前記ドレイン電極に向かって、前記スペーサ層のうちの前記第１のスペーサ層上に延びていることを特徴とする請求項１に記載のトランジスタ。
【請求項５】
前記フィールドプレートのうちの第２のフィールドプレートは、前記フィールドプレートのうちの前記第１のフィールドプレートのエッジから前記ドレイン電極に向かって、前記スペーサ層のうちの第２のスペーサ層上に延びていることを特徴とする請求項４に記載のトランジスタ。
【請求項６】
前記スペーサ層のうちの前記第１のスペーサ層は、前記ゲートを少なくとも部分的に覆い、
前記フィールドプレートのうちの前記第１のフィールドプレートは、前記ゲートと少なくとも部分的にオーバーラップし、前記ゲートのエッジから前記ドレイン電極に向かって前記スペーサ層のうちの前記第１のスペーサ層上で距離Ｌｆだけ延びていることを特徴とする請求項１に記載のトランジスタ。
【請求項７】
少なくとも１つの導電性経路をさらに備え、
前記フィールドプレートのうちの少なくとも１つのフィールドプレートは、前記少なくとも１つの導電性経路によって前記ソース電極に電気的に接続され、
前記導電性経路のそれぞれは、前記活性領域の外側を走っていることを特徴とする請求項１に記載のトランジスタ。
【請求項８】
少なくとも１つの導電性経路をさらに備え、
前記スペーサ層のうちの１つのスペーサ層は、前記ゲート、および前記ゲートと前記ソース電極との間の前記活性領域の表面を覆い、
前記フィールドプレートのうちの少なくとも１つのフィールドプレートは、前記少なくとも１つの導電性経路によって前記ソース電極に電気的に接続され、
前記導電性経路は、前記スペーサ層のうちの前記１つのスペーサ層上を走っていることを特徴とする請求項１に記載のトランジスタ。
【請求項９】
前記ゲートは、ガンマ形状をしていることを特徴とする請求項１に記載のトランジスタ。
【請求項１０】
前記ゲートは、前記活性領域中に少なくとも部分的にリセス化されていることを特徴とする請求項１に記載のトランジスタ。
【請求項１１】
前記フィールドプレートは、前記トランジスタ中のピーク動作電界を低減させることを特徴とする請求項１に記載のトランジスタ。
【請求項１２】
ピーク動作電界の前記低減は、前記トランジスタの破壊電圧を増大させることを特徴とする請求項１１に記載のトランジスタ。
【請求項１３】
ピーク動作電界の前記低減は、前記トランジスタ中のトラッピングを低減させることを特徴とする請求項１１に記載のトランジスタ。
【請求項１４】
ピーク動作電界の前記低減は、前記トランジスタ中の漏れ電流を低減させることを特徴とする請求項１１に記載のトランジスタ。
【請求項１５】
前記スペーサ層は、前記ゲートを完全には覆わず、
前記第１のフィールドプレートは、前記ゲートと一体化して形成され、前記スペーサ層上で前記ドレイン電極に向かって距離Ｌｆだけ延びていることを特徴とする請求項１に記載のトランジスタ。
【請求項１６】
前記スペーサ層のうちの少なくとも１つのスペーサ層は、誘電材料を含むことを特徴とする請求項１に記載のトランジスタ。
【請求項１７】
前記スペーサ層のうちの少なくとも１つは、エピタキシャル材料を含むことを特徴とする請求項１に記載のトランジスタ。
【請求項１８】
チャネルを有する活性領域と、
前記活性領域と接触したソース電極およびドレイン電極と、
前記ソース電極と前記ドレイン電極との間の、前記活性領域上のゲートと、
前記活性領域上に配置された複数のフィールドプレートと
を備え、
前記フィールドプレートのそれぞれは、前記ゲートのエッジから前記ドレイン電極に向かって延びており、
フィールドプレートのそれぞれは、前記活性領域から、かつ前記フィールドプレートのうちの他のフィールドプレートから分離され、
前記フィールドプレートのうちの最上部のフィールドプレートは、前記ソース電極に電気的に接続され、
前記フィールドプレートのうちの他のフィールドプレートのそれぞれは、前記ゲートまたは前記ソース電極に電気的に接続されていることを特徴とするトランジスタ。
【手続補正書】
【提出日】平成20年1月31日(2008.1.31)
【手続補正１】
【補正対象書類名】特許請求の範囲
【補正対象項目名】全文
【補正方法】変更
【補正の内容】
【特許請求の範囲】
【請求項１】
ハウジングと、
このハウジングの内側フレームと、
このフレームに装着並びに支持されたプリント回路基板並びにディスプレイとを具備し、前記フレームは、前記プリント回路基板若しくはディスプレイよりも高いスチフネス並びに/若しくはばね定数を有している携帯用電子装置。
【請求項２】
前記プリント回路基板は、前記フレームの第１の側に装着され、また、前記ディスプレイは、前記フレームの反対側の第２の側に装着されている請求項１の携帯用電子装置。
【請求項３】
前記フレームに装着されたバッテリーをさらに具備する請求項１の携帯用電子装置。
【請求項４】
前記バッテリーは、前記プリント回路基板に固定されることにより、前記フレームに装着されている請求項３の携帯用電子装置。
【請求項５】
前記バッテリーは、表面積がそれぞれ異なる複数の側面を有し、そのうちの最大表面積の側面が、前記プリント回路基板に固定されている請求項４の携帯用電子装置。
【請求項６】
前記バッテリーは、平坦若しくはパンケーキ状のディメンションを有している請求項４又は５の携帯用電子装置。
【請求項７】
前記フレームは、このフレームに取着された部品のためのバックボーンを構成している前記全ての請求項のいずれか１の携帯用電子装置。
【請求項８】
前記フレームは、金属で形成されている請求項１ないし７のいずれか１の携帯用電子装置。
【請求項９】
前記金属は、マグネシウム合金である請求項８の携帯用電子装置。
【請求項１０】
前記フレームは、非金属材料で形成されている請求項１ないし７のいずれか１の携帯用電子装置。
【請求項１１】
前記フレームは、繊維強化プラスチック、若しくは炭素繊維強化プラスチックで形成されている請求項１０の携帯用電子装置。
【請求項１２】
前記ディスプレイは、液晶ディスプレイである請求項１ないし１１のいずれか１の携帯用電子装置。
【請求項１３】
ハウジングと、
このハウジング内に配置されたプリント回路基板とバッテリーとを具備し、このバッテリーは、前記プリント回路基板を支持するように、前記プリント回路基板に取着されている携帯用電子装置。
【請求項１４】
フレームを更に具備し、このフレームに、前記プリント回路基板は取着されている請求項１３の携帯用電子装置。
【請求項１５】
前記フレームとバッテリーとは、前記プリント回路基板の両側に夫々取着されている請求項１４の携帯用電子装置。
【請求項１６】
前記フレームは、前記プリント回路基板よりも高い剛性を有している請求項１４又は１５の携帯用電子装置。